(57)【要約】【課題】製造の歩留まりが高いロータ及びそのロータを備える回転電機を提供する。【解決手段】ロータがロータティースにおいて半径方向に分割される複数の分割ロータから構成され、ロータティースの底部幅をＡ、ロータティースの先端部の幅の１／２をＢとしたときに、Ａ≧２Ｂの関係とすることにより、製造の歩留まりが高いロータ及びそのロータを備える回転電機を提供することができる。【選択図】図１
2009033912.tif 000002
【特許請求の範囲】
【請求項１】
複数のロータティースが外周部に設けられたロータコアを含むロータであって、
前記ロータコアは前記ロータティースにおいて半径方向に分割される複数の分割ロータから構成され、
前記ロータティースの底部幅をＡ、前記ロータティースの先端部の幅の１／２をＢとしたときに、Ａ≧２Ｂの関係にあることを特徴とするロータ。
【請求項２】
ステータコイルが巻回される複数のティースが内周部に設けられたステータと、複数のロータティースが外周部に設けられたロータコアを含むロータと、を備えた回転電機であって、
前記ロータコアは前記ロータティースにおいて半径方向に分割される複数の分割ロータから構成され、
前記ロータティースの底部幅をＡ、前記ロータティースの先端部の幅の１／２をＢとしたときに、Ａ≧２Ｂの関係にあることを特徴とする回転電機。
【発明の詳細な説明】
【技術分野】
【０００１】
本発明は、ロータ及びそのロータを備える回転電機に関する。
【背景技術】
【０００２】
一般に、回転電機は、ステータ（固定子）とロータ（回転子）とを備え、ステータとロータが電磁気的に相互作用することにより、ロータを回転させ、駆動力を発生させる。
【０００３】
特許文献１には、ロータコアの周方向ロータティース部で半径方向に分割されたロータ片（分割ロータ）を、該ロータ片のロータティース部での一側の分割面を、隣接するロータ片のロータティース部での他側の分割面に当接させて、周方向に連結接続して一枚分を形成し、これを複数枚積層してロータコアを構成したロータが記載されている。
【０００４】
【特許文献１】特開２００４−２０１４８８号公報
【発明の開示】
【発明が解決しようとする課題】
【０００５】
特許文献１では、図４に示すように、ロータコア３をロータティース５２においてロータコア３の半径方向に分割される複数の分割ロータ５０から構成し、ロータティース５２の底部幅をＡ、ロータティースの先端部の幅の１／２をＢとしたときに、Ａ＜２Ｂの関係にある。このため、分割ロータ５０を金属の打ち抜き加工により製造しようとしたとき、例えば図５のように、１つの分割ロータ５０のロータティース５２の間に他の１つの分割ロータ５０の一方のロータティース５２を組み合わせて、金属板５４から分割ロータ５０を打ち抜き加工することになり、歩留まりが低いという問題があった。
【０００６】
本発明は、製造の歩留まりが高いロータ及びそのロータを備える回転電機である。
【課題を解決するための手段】
【０００７】
本発明は、複数のロータティースが外周部に設けられたロータコアを含むロータであって、前記ロータコアは前記ロータティースにおいて半径方向に分割される複数の分割ロータから構成され、前記ロータティースの底部幅をＡ、前記ロータティースの先端部の幅の１／２をＢとしたときに、Ａ≧２Ｂの関係にあるロータである。
【０００８】
また、本発明は、ステータコイルが巻回される複数のティースが内周部に設けられたステータと、複数のロータティースが外周部に設けられたロータコアを含むロータと、を備えた回転電機であって、前記ロータコアは前記ロータティースにおいて半径方向に分割される複数の分割ロータから構成され、前記ロータティースの底部幅をＡ、前記ロータティースの先端部の幅の１／２をＢとしたときに、Ａ≧２Ｂの関係にある回転電機である。
【発明の効果】
【０００９】
本発明では、ロータコアがロータティースにおいて半径方向に分割される複数の分割ロータから構成され、ロータティースの底部幅をＡ、ロータティースの先端部の幅の１／２をＢとしたときに、Ａ≧２Ｂの関係とすることにより、製造の歩留まりが高いロータ及びそのロータを備える回転電機を提供することができる。
【発明を実施するための最良の形態】
【００１０】
本発明の実施の形態について以下説明する。本実施形態は本発明を実施する一例であって、本発明は本実施形態に限定されるものではない。
【００１１】
本発明の実施形態に係るロータのロータコアの一例の概略を図１に示す。ロータコア１は、ロータティース１２においてロータコア１の半径方向に分割される複数の分割ロータ１０から構成される突極型のロータコアである。
【００１２】
ロータコア１において、ロータティース１２の底部幅（ロータティース１２底部の隣接するロータティース１２間の幅）をＡ、ロータティース１２の先端部の幅の１／２をＢとしたときに、Ａ≧２Ｂの関係にある。
【００１３】
本実施形態に係るロータにおいて、Ａ≧２Ｂの関係にあるため、分割ロータ１０を金属の打ち抜き加工により製造しようとしたとき、例えば図２のように、１つの分割ロータ１０のロータティース１２の間に、他の２つの分割ロータ１０のそれぞれ一方のロータティース１２を組み合わせて、金属板（帯状鋼板）１４から分割ロータ１０を打ち抜きすることができ、材料取りの歩留まりの向上や型コストの低減化を図ることが可能である。
【００１４】
Ａ＜２Ｂの関係にあると、分割ロータを金属の打ち抜き加工により製造しようとしたとき、例えば図４のように、１つの分割ロータ５０のロータティース５２の間に他の１つの分割ロータ５０の一方のロータティース５２しか組み合わせることができず、歩留まりが低くなってしまう。
【００１５】
本実施形態に係るロータのロータコア１は、プレス装置等により打ち抜き加工された複数の電磁鋼板を積層して一体化すること等により構成されている。ロータコア１は、例えば図１のように、ロータコア１の周方向のロータティース１２でロータコア１の半径方向に分割された８個の分割ロータ１０を、該分割ロータ１０のロータティース１２での一側の分割面を、隣接する分割ロータ１０のロータティース１２での他側の分割面に当接させて、連結接続して一枚分を形成し、これを複数枚積層したものである。そして、このロータコア１に回転軸が圧入されてベアリング等により固定され、ロータが構成される。また、ロータコア１には、複数の永久磁石等が設けられる。なお、ロータコア１の構成はこれに限定されるものではない。
【００１６】
本実施形態に用いられる電磁鋼板としては、鉄損値、磁束密度および透磁率等の優れたケイ素鋼板、低炭素鋼板および純鉄等が挙げられる。
【００１７】
ロータは、例えば図３のような、ステータコイルが巻回される複数のティース１８が内周部に設けられたステータ１６との間に所定のギャップを有するように挿入配置される。
【００１８】
ステータ１６は、例えば図３のように、ステータ１６の周方向のティース１８で半径方向に分割された１２個の分割ステータ２０を、該分割ステータ２０のティース１８での一側の分割面を、隣接する分割ステータ２０のティース１８での他側の分割面に当接させて、周方向に連結接続して一枚分を形成し、これを複数枚積層したものである。なお、ステータ１６の構成はこれに限定されるものではない。
【００１９】
本実施形態に係るロータを備える回転電機は、ＡＣモータ、ＳＲモータ、クローポール型モータ等のパルスモータ等、特に制限されるものではない。回転電機は、本実施形態に係るロータ、ステータ、ロータ及びステータを収容する枠体等を備える。
【００２０】
例えば、ステータ１６のティース１８に設けられたコイルに電流を流すことによって、ロータ１の永久磁石からステータ１６のティース１８内へ磁束が流れ、永久磁石がティース１８に引き付けられる。さらに、別のティース１８のコイルに電流を流すことによって、ロータ１の他の永久磁石がティース１８に引き付けられる。これを連続的に行うことによってロータ１が回転し、トルクが発生する。
【００２１】
回転電機の構成は、これに限定されるものではなく、本発明の要旨を逸脱しない範囲における設計変更があっても、それらは、本発明に含まれるものである。
【図面の簡単な説明】
【００２２】
【図１】本発明の実施形態に係るロータコアの一例を示す概略図である。
【図２】本発明の実施形態に係るロータにおける分割コアを金属板から打ち抜き加工する方法の一例を示した概略図である。
【図３】本発明の実施形態に係る回転電機におけるステータの一例を示す概略図である。
【図４】従来のロータの一例を示す概略図である。
【図５】従来のロータにおける分割コアを金属板から打ち抜き加工する方法の一例を示した概略図である。
【符号の説明】
【００２３】
１，３  ロータコア、１０，５０  分割ロータ、１２，５２  ロータティース、１４，５４  金属板、１６  ステータ、１８  ティース、２０  分割ステータ。
【図１】
2009033912.tif 000003
【図２】
2009033912.tif 000004
【図３】
2009033912.tif 000005
【図４】
2009033912.tif 000006
【図５】
2009033912.tif 000007